(57)【特許請求の範囲】
【請求項１】
外底面を凸円弧状の湾曲面に形成しているお玉部と該お玉部の後部外周縁から後方に向かって斜め上方に突設した柄部とからなるお玉において、お玉を起立させた状態における全体の重心がお玉部側となるようにお玉部と柄部とをそれぞれ所定の重量割合に形成していると共に、柄部を下方に傾動させてお玉部の重心に作用するモーメントと柄部の重心に作用するモーメントとがバランスした際のお玉の支点がお玉部の外底面の後部側にあり、この支点を分岐点として柄部をそれ以上傾動させて該支点を後方に連続的に移動させると共にお玉の重心をこの支点から後方に移動させることにより、釣り合いが解消されてお玉が横倒し状態となるように構成していると共に、上記分岐点部分の外底面部を該分岐点部分から前側の外底面部よりも曲率半径の小さい急カーブな曲面に形成し、この曲面の後端から柄部の下端に向かって急勾配の傾斜面に形成していることをことを特徴とするお玉。
【発明の詳細な説明】
【技術分野】
【０００１】
本発明は鍋物等の内容物を掬う際に使用するお玉の改良に関するものである。
【背景技術】
【０００２】
従来からお玉は、碗形状のお玉部の後部外周縁に、後方に向かって斜め上方に所定長さの柄部を一体に突設してなる形状を有しているが、柄部の重量をお玉部の重量よりも大きくして不使用時には横臥状態で収納可能に構成しているために、食事時において鍋内の汁等を掬うのに使用した後においてこのお玉を食卓上等に載置すると、お玉部内に残留する汁が垂れ落ちて卓上を汚損することになる。このため、お玉を適当な皿上に横臥状態に置くことによりお玉部内から流出する汁を皿に受け止めるようにしているのが現状である。  
【０００３】
このような問題点を解消するために、例えば、特許文献１に記載されているように、お玉部の後部外周縁に一体に固着している柄部の下端部をお玉部の後面からさらに垂下させてその垂下端部を後方に屈曲させることにより支持脚片に形成し、この支持脚片をお玉部の外底面と共に載置面に受止させてお玉を立設状態に保持するように構成してなるお玉が考案されているが、このようなお玉の構造では、使用時に、上記支持脚片が鍋の口縁に引っ掛かったりして扱い難くなると共に、使用後に洗浄する場合にこの支持脚片によって手等が損傷を受ける虞れがあり、さらに、引き出し等に収納する時には該支持脚片が邪魔になって安定した状態で収納しておくことが困難となる。また、支持脚片を載置面に受止させてお玉を立設させた状態において、柄部に手等が不測に当接して該柄部が傾動した場合、お玉全体がそのまま横方向に倒れてしまって元の状態に自然復帰することはないといった問題点がある。
【０００４】
このため、特許文献２に記載されているように、お玉全体の重心を常にお玉部側に位置するようにお玉部の重量を大きくしてお玉が載置面に対して常に起立状態を保持するように構成したお玉が開発されている。
【特許文献１】実開昭５３−１２８１６７号公報
【特許文献２】実開昭５８−１６３１３９号公報
【発明の開示】
【発明が解決しようとする課題】
【０００５】
しかしながら、上記のようなお玉によれば、お玉部の肉厚を厚くしたり、お玉部内に重錘を入れたりしてお玉部を必要以上にその重量を増大させなければならないため、材料費が高くつくばかりでなく、製作も煩雑化する虞れがあり、その上、お玉を載置面に傾倒状態で載置してもお玉部と柄部とのバランスが常にお玉全体が自然と起立するように設定しているため、横臥させることができず、引き出し内などへの収納、保管が困難となるといった問題点がある。
【０００６】
本発明はこのような問題点に鑑みてなされたもので、その目的とするところは、使用時には、お玉部を載置面に置くことによって載置面上に受止させたお玉部の外底面のみを支点としてお玉全体を自然と起立させておくことができると共に、柄部が傾倒する方向にお玉全体を所定角度以上傾斜させた時に、起立状態に復元することなくそのまま倒れた状態を維持し得るようにしたお玉を提供するにある。
【課題を解決するための手段】
【０００７】
上記目的を達成するために本発明のお玉は、請求項１に記載したように、外底面を凸円弧状の湾曲面に形成しているお玉部と該お玉部の後部外周縁から後方に向かって斜め上方に突設した柄部とからなるお玉において、お玉を起立させた状態における全体の重心がお玉部側となるようにお玉部と柄部とをそれぞれ所定の重量割合に形成していると共に、柄部を下方に傾動させてお玉部の重心に作用するモーメントと柄部の重心に作用するモーメントとがバランスした際のお玉の支点がお玉部の外底面の後部側にあり、この支点を分岐点として柄部をそれ以上傾動させて該支点を後方に連続的に移動させると共にお玉の重心をこの支点から後方に移動させることにより、釣り合いが解消されて柄部が横倒し状態となるように構成していると共に、上記分岐点部分の外底面部を該分岐点部分から前側の外底面部よりも曲率半径の小さい急カーブな曲面に形成し、この曲面の後端から柄部の下端に向かって急勾配の傾斜面に形成していることを特徴とする。
【発明の効果】
【０００８】
請求項１に記載のお玉の構造によれば、外底面を凸円弧状の湾曲面に形成しているお玉部と該お玉部の後部外周縁から後方に向かって斜め上方に突設した柄部とからなるお玉において、お玉を起立させた状態におけるお玉全体の重心がお玉部側となるようにお玉部と柄部とをそれぞれ所定の重量割合に形成していると共に、柄部を下方に傾動させてお玉部の重心に作用するモーメントと柄部の重心に作用するモーメントとがバランスした際の載置面に支持されるお玉の支点をお玉部の外底面の後部側に設けているので、この支点から前側のお玉部の外底面を食卓の卓上等の載置面に置くことによって、お玉全体を自然と起立状態に保持しておくことができ、従って、鍋等の内部の汁などを掬った後においては、お玉部内に残留する汁等が外部に垂れ落ちることなく、お玉部内に保有させておくことができると共に、この状態からお玉が前後左右方向に揺動しても、お玉全体の重心が上記支点から後方に移動しない限り、元の起立状態に自然復帰して残存する汁等が外部に漏出するのを確実に防止することができる。
【０００９】
さらに、使用後において、柄部を後方に傾動させてお玉全体の重心をお玉部と柄部とのモーメントが釣り合った際の載置面に対する支点から後方に移動させることによって、お玉が起立することがない横臥状態に簡単且つ自動的に行わせることができ、従って、引き出し内等への収納、保管等が容易となる。
【００１０】
その上、上記お玉において、上記分岐点部分の外底面部を、前側の外底面部よりも曲率半径の小さい曲面に形成し、この曲面の後端から柄部の下端に向かって急勾配の傾斜面に形成しているので、お玉を後方に傾動させてその重心をこの曲面上から後方に移動させた時には、曲率半径の小さいこの曲面が載置面上を瞬時に移動してお玉の傾倒動作が素早く行えるものであり、また、起立方向に対しては該曲面が障壁面となって安定した横臥状態を維持することができる。
【発明を実施するための最良の形態】
【００１１】
次に、本発明の具体的な実施の形態を図面について説明すると、図１において、お玉Ａは浅底の碗形状に形成されたお玉部１とこのお玉部１の後部外周縁から後方に向かって斜め上方に突設した柄部２とからなり、お玉部１の外底面と内部における内底面とを緩やかな曲面状に湾曲した下向き凸円弧状面1aに形成している。一方、柄部２はその下端部をお玉部１の後部外周縁の一部にこの外周部における円弧状面に対して接線方向に向けた状態で一体に連設させてあり、さらに、お玉部１の上端面に対するこの柄部２の長さ方向の角度は100 〜135 度に形成されている。
【００１２】
このお玉Ａは、ステンレスやアルミニウム等の金属製であっても、ナイロンなどの耐熱性及び強度に優れた合成樹脂製であってもよいが、全体の重量は調理用として使用に適するようにた30〜150 ｇにしておくことが望ましい。
【００１３】
そして、お玉Ａの全体の重心の位置をＯ、お玉部１と柄部２の重心の位置をそれぞれO1、O2、お玉部１と柄部２と重量をそれぞれW1、W2とし、お玉Ａを起立させた状態において食卓や皿等の載置面Ｂに支持されたお玉部１の外底面部を支点Ｘとすると共に、この支点Ｘからのお玉部１と柄部２の重心O1、O2までの距離をそれぞれL1、L2とすると、お玉部１の重心O1に作用するモーメント、即ち、W1×L1と、柄部２の重心O2に作用するモーメント、即ち、W2×L2とが釣り合っている状態においてはお玉Ａが図１に示すように起立状態を保持しており、この起立状態からお玉Ａが前後方向に所定角度だけ傾動すると、お玉部１と柄部２の重心O1、O2の位置が変化すると共に載置面Ｂに対する支点Ｘが前後方向に移動するが、前側に傾動した場合にはお玉Ａの重心Ｏが支点Ｘ上よりも後方に移動し、後側に傾動した場合にはお玉Ａの重心Ｏが支点Ｘ上よりも前側に移動して元の起立状態に復帰するように構成している。
【００１４】
さらに、お玉Ａが後方に傾動してその角度が上記所定角度に近づくに従ってお玉Ａの重心Ｏが支点Ｘの上方に接近し、その傾斜角度に達して重心Ｏが該支点Ｘ上に位置すると、図２に示すように、再び、お玉部１のモーメントの柄部２のモーメントが釣り合い、次いで、この支点Ｘ上からお玉Ａの重心Ｏが後方に移動すると、バランスが崩れてお玉Ａが起立状態に復元することなくそのまま傾倒して図３に示すように、柄部２を載置面Ｂに載せた横臥状態となるように、お玉部１と柄部２との重量割合と重心の位置を設定していると共にお玉部１の外底面を所定の湾曲度となるように設定している。そして、お玉Ａが元の起立状態に復帰するか、或いは、そのまま後方に傾倒するかの境目である上記所定角度まで後方に傾動した時の支点Ｘの位置を分岐点X1としている。
【００１５】
従って、使用時にお玉部１の外底面中央部を載置面Ｂに置くと、お玉Ａが起立状態を保持し、この状態からお玉Ａが前後方向に所定の傾斜角度以下の範囲内で揺動しても元の起立状態に復帰するが、お玉Ａが後方に所定の角度以上、傾動してお玉Ａの重心Ｏが上記分岐点X1上から後方に移動すると、柄部２の重心O2に作用するモーメントがお玉部１の重心O1に作用するモーメントよりも大きくなって上述したようにお玉Ａが後方に倒れる。
【００１６】
お玉部１に対する柄部２の傾斜角度を一定として、お玉部１と柄部２とを上記のように所定の重量割合となるように設定するに際して、両者とも重い材料から形成すると、使用し難くなるばかりでなく、上記のようにこれらのお玉部１と柄部２とが支点X1で釣り合うように重量調整をするのが困難であり、そのため、お玉Ａを金属材料から構成する場合、アルミニウムのような軽金属材料から構成し、重量調整にはステンレスを重錘としてお玉部１の一部、特に前半部に一体に設けておくことが好ましい。また、お玉Ａを合成樹脂から構成する場合、お玉部１内にステンレス等の重量の大なる重錘を充填して上述したようにお玉部１と柄部２とが支点X1で釣り合うように構成しておけばよい。また、お玉部１と柄部２とは一体成形であってもよく、図４に示すように別体に形成しておいてお玉部１の後端部外周縁に柄部２の下端をビス等により固着した構造としておいてもよい。
【００１７】
上記図１に示したお玉Ａにおいては、お玉部１の外底面1aをその中央部から外周縁に向かって全面的に緩やかな凸状湾曲面に形成しているが、お玉部１の外底面1aにおける後面部を上記分岐点部分から柄部の下端に向かって急勾配の傾斜面に形成しておくことが望ましい。即ち、このお玉Ａは図５に示すように、上記分岐点X1部分のお玉部１の外底面部を、該分岐点X1部分から前側の外底面部よりも曲率半径の小さい急カーブな曲面1a' に形成し、曲面1a' の後端から柄部２の下端に向かってお玉部１の後面部を水平面に対して急勾配の傾斜面1a''に形成し、柄部２の下端に面一状に連続させた構造としている。
【００１８】
このように構成しておくと、お玉部１を載置面Ｂ上に立設させた状態から後方に傾動してお玉Ａの重心が上記分岐点X1を越えた時に急激に傾倒させることができて簡単且つ確実に収納可能な横臥状態にすることができると共に、この状態からお玉Ａに起立する方向の外力が不測に付勢されても、急カーブな曲面1a' によって起立するのを確実に阻止し、横臥状態を維持させておくことができる。
【００１９】
この場合も、上記のようにお玉部１の外底面1aを全面的に凸円弧状の湾曲面に形成しているので、お玉Ａが後方に傾動するに従って支点Ｘが後方に移動し、分岐点X1に達してお玉Ａが倒れる時にも連続的に移動する。なお、お玉部１に汁を通過させる多数の小孔を形成しておいてもよく、或いは、網状の油かす取り部を設けておいてもよい。
【図面の簡単な説明】
【００２０】
【図１】お玉を起立させた使用状態を示す一部を断面した側面図。
【図２】お玉が分岐点を支点としてバランスした状態を示す側面図。
【図３】倒した状態を示す側面図。
【図４】変形例を示す側面図。
【図５】分岐点部分を急カーブ面に形成しているお玉の側面図。
【符号の説明】
【００２１】
Ａ  お玉
Ｂ  載置面
１  お玉部
1a'   曲率半径の小さい曲面
２  柄部
Ｏ  お玉の重心
O1  お玉部の重心
O2  柄部の重心
X1  分岐点
【図１】
0004585349.tif 000002
【図２】
0004585349.tif 000003
【図３】
0004585349.tif 000004
【図４】
0004585349.tif 000005
【図５】
0004585349.tif 000006